(57)【要約】【課題】  より偏りの少ない評価情報に基づいて視聴用コンテンツを再構成する。【解決手段】  番組を再生可能な視聴端末２０は、所定の入力手段により入力された信号に基づいて、番組の再生開始時刻からの経過時間および当該経過時間の終了時における当該番組への関心の度合いを示す関心度を含む関心度情報を生成し、この関心度情報をサーバシステム１０に送信する。サーバシステム１０は、受信した関心度情報および所定の閾値に基づいて、番組を再構成する際に用いる特定の再生シーンを番組から抽出するための抽出条件を含む抽出条件情報を生成し、この抽出条件情報を視聴端末２０に送信する。視聴端末２０は、受信した抽出条件情報に基づいて、予め記憶された番組から再生シーンを抽出し、この再生シーンに基づいて番組を再構成して再生・表示させる。【選択図】  図１
2005323208.tif 000002
【特許請求の範囲】
【請求項１】
少なくとも、視聴用コンテンツにおける再生開始時刻からの経過時間および当該経過時間の終了時における前記視聴用コンテンツへの関心の度合いを示す関心度を含む関心度情報を、前記視聴用コンテンツを受信した視聴端末から受信する関心度情報受信手段と、
前記関心度情報受信手段により受信された前記関心度情報、および所定の閾値に基づいて、前記視聴用コンテンツを再構成する際に用いる特定の再生シーンを、前記視聴用コンテンツから抽出するための抽出条件を含む抽出条件情報を生成する抽出条件情報生成手段と
を備えることを特徴とするコンテンツ再構成支援装置。
【請求項２】
前記抽出条件情報生成手段は、前記関心度情報に含まれる前記関心度が前記閾値を超える時間に対応する前記再生シーンを抽出するための前記抽出条件情報を生成することを特徴とする請求項１記載のコンテンツ再構成支援装置。
【請求項３】
前記視聴用コンテンツの再生時間として指定された再生指定時間を受信する再生指定時間受信手段をさらに備え、
前記抽出条件情報生成手段は、前記再生シーンの合計再生時間が、前記再生指定時間受信手段により受信された前記再生指定時間に収まるように前記閾値を変動させることを特徴とする請求項２記載のコンテンツ再構成支援装置。
【請求項４】
複数のセグメントに分割された前記視聴用コンテンツの当該セグメントに関するセグメント情報を記憶するセグメント情報記憶手段をさらに備え、
前記抽出条件情報生成手段は、前記関心度情報に含まれる前記関心度が前記閾値を超える時間に対応する前記セグメント情報に基づいて、前記再生シーンを抽出するための前記抽出条件情報を生成することを特徴とする請求項２記載のコンテンツ再構成支援装置。
【請求項５】
前記視聴端末を所持するユーザの嗜好情報を記憶する嗜好情報記憶手段をさらに備え、
前記セグメント情報には、前記視聴用コンテンツの前記セグメントごとに設定されたジャンルおよびタイトルが含まれ、
前記抽出条件情報生成手段は、前記関心度情報に含まれる前記関心度が前記閾値を超える時間に対応する前記セグメント情報であって、かつ、前記ユーザの嗜好情報に対応する前記ジャンルおよび前記タイトルを有する前記セグメント情報に基づいて、前記再生シーンを抽出するための前記抽出条件情報を生成することを特徴とする請求項４記載のコンテンツ再構成支援装置。
【請求項６】
前記抽出条件情報生成手段により生成された前記抽出条件情報に基づいて、前記視聴用コンテンツから前記再生シーンを抽出する抽出手段と、
前記抽出手段により抽出された前記再生シーンに基づいて、前記視聴用コンテンツを再構成する再構成手段と、
をさらに備えることを特徴とする請求項１〜５のいずれか１項に記載のコンテンツ再構成支援装置。
【請求項７】
視聴用コンテンツを再生する視聴端末と、当該視聴端末と通信回線を介して接続可能なサーバ装置とを備えるコンテンツ再構成支援システムにおいて、
前記サーバ装置は、
少なくとも、視聴用コンテンツにおける再生開始時刻からの経過時間および当該経過時間の終了時における前記視聴用コンテンツへの関心の度合いを示す関心度を含む関心度情報を、前記視聴端末から受信する関心度情報受信手段と、
前記関心度情報受信手段により受信された前記関心度情報、および所定の閾値に基づいて、前記視聴用コンテンツを再構成する際に用いる特定の再生シーンを、前記視聴用コンテンツから抽出するための抽出条件を含む抽出条件情報を生成する抽出条件情報生成手段と、
前記抽出条件情報生成手段により生成された前記抽出条件情報を、前記視聴端末に送信する抽出条件情報送信手段とを備え、
前記視聴端末は、
所定の入力手段により入力された信号に基づいて、前記経過時間および前記関心度を含む関心度情報を生成する関心度情報生成手段と、
前記関心度情報生成手段により生成された前記関心度情報を、前記サーバ装置に送信する関心度情報送信手段と、
前記抽出条件情報を、前記サーバ装置から受信する抽出条件情報受信手段と、
前記抽出条件情報受信手段により受信された前記抽出条件情報に基づいて、予め記憶された前記視聴用コンテンツから前記再生シーンを抽出する抽出手段と、
前記抽出手段により抽出された前記再生シーンに基づいて、前記視聴用コンテンツを再構成する再構成手段と、
前記再構成手段により再構成された前記視聴用コンテンツを再生して表示させる再生表示手段とを備える
ことを特徴とするコンテンツ再構成支援システム。
【発明の詳細な説明】
【技術分野】
【０００１】
本発明は、コンテンツ再構成支援装置およびコンテンツ再構成支援システムに関する。
【背景技術】
【０００２】
下記特許文献１には、放送局から放送された番組を受信する受信機において、当該受信した番組に基づいてダイジェスト番組を作成する方法が開示されている。この方法によると、放送局から送信される番組には、当該番組のインデックスとなる盛り上がり度が付加されており、受信機は、この盛り上がり度に基づいてダイジェスト番組を作成している。すなわち、受信機は番組を再構成している。
【特許文献１】特開２００１−３４５８４５号公報
【発明の開示】
【発明が解決しようとする課題】
【０００３】
しかしながら、上記特許文献１に開示されている盛り上がり度は、特定の評価者によって主観的に評価されたものであるため、盛り上がり度の内容に偏りが生じ得る。したがって、このような盛り上がり度に基づいて作成されたダイジェスト番組の内容は、特定の評価者による偏った盛り上がり度によって大きく左右されてしまうおそれがある。
【０００４】
そこで、本発明は、上述した課題を解決するために、より偏りの少ない評価情報に基づいて、視聴用コンテンツ（例えば、番組や動画像）を再構成させることができるコンテンツ再構成支援装置およびコンテンツ再構成支援システムを提供することを目的とする。
【課題を解決するための手段】
【０００５】
本発明のコンテンツ再構成支援装置は、少なくとも、視聴用コンテンツにおける再生開始時刻からの経過時間および当該経過時間の終了時における視聴用コンテンツへの関心の度合いを示す関心度を含む関心度情報を、視聴用コンテンツを受信した視聴端末から受信する関心度情報受信手段と、関心度情報受信手段により受信された関心度情報、および所定の閾値に基づいて、視聴用コンテンツを再構成する際に用いる特定の再生シーンを、視聴用コンテンツから抽出するための抽出条件を含む抽出条件情報を生成する抽出条件情報生成手段とを備えることを特徴とする。
【０００６】
この発明によれば、視聴用コンテンツを受信可能な視聴端末により送信された関心度情報を受信することができるため、視聴端末を所持する多数のユーザにより入力された関心度情報を収集することが可能となる。さらに、この関心度情報と所定の閾値とに基づいて、視聴用コンテンツを再構成する際に用いる特定の再生シーンを視聴用コンテンツから抽出するための抽出条件を含む抽出条件情報を生成することができるため、より偏りの少ない関心度情報（評価情報）に基づいて生成された抽出条件情報を用いて視聴用コンテンツを再構成させることが可能となる。
【０００７】
本発明のコンテンツ再構成支援装置において、上記抽出条件情報生成手段は、関心度情報に含まれる関心度が所定の閾値を超える時間に対応する再生シーンを抽出するための抽出条件情報を生成させることが好ましい。このようにすれば、関心度が所定の閾値を超えた時間に対応する再生シーンのみを抽出させることができる。
【０００８】
本発明のコンテンツ再構成支援装置において、視聴用コンテンツの再生時間として指定された再生指定時間を受信する再生指定時間受信手段をさらに備え、上記抽出条件情報生成手段は、再生シーンの合計再生時間が、再生指定時間受信手段により受信された再生指定時間に収まるように所定の閾値を変動させることが好ましい。このようにすれば、合計再生時間がユーザにより指定された再生指定時間内に収まり、かつ関心度が所定の閾値を超えた時間に対応する再生シーンのみを抽出させることができる。
【０００９】
本発明のコンテンツ再構成支援装置において、複数のセグメントに分割された視聴用コンテンツの当該セグメントに関するセグメント情報を記憶する記憶手段をさらに備え、上記抽出条件情報生成手段は、関心度情報に含まれる関心度が所定の閾値を超える時間に対応するセグメント情報に基づいて、再生シーンを抽出するための抽出条件情報を生成させることが好ましい。このようにすれば、関心度が所定の閾値を超えた時間に対応するセグメントに属する再生シーンを抽出させることができる。
【００１０】
本発明のコンテンツ再構成支援装置において、上記視聴端末を所持するユーザの嗜好情報を記憶する嗜好情報記憶手段をさらに備え、上記セグメント情報には、視聴用コンテンツのセグメントごとに設定されたジャンルおよびタイトルが含まれ、上記抽出条件情報生成手段は、関心度情報に含まれる関心度が所定の閾値を超える時間に対応するセグメント情報であって、かつ、ユーザの嗜好情報に対応するジャンルおよびタイトルを有するセグメント情報に基づいて、再生シーンを抽出するための抽出条件情報を生成させることが好ましい。このようにすれば、関心度が所定の閾値を超えた時間に対応するセグメントに属する再生シーンであって、かつ、ユーザの嗜好情報に見合った再生シーンを抽出させることができる。
【００１１】
本発明のコンテンツ再構成支援装置において、上記抽出条件情報生成手段により生成された抽出条件情報に基づいて、視聴用コンテンツから再生シーンを抽出する抽出手段と、抽出手段により抽出された再生シーンに基づいて、視聴用コンテンツを再構成する再構成手段とをさらに備えることが好ましい。このようにすれば、より偏りの少ない評価情報である関心度情報と、所定の閾値とに基づいて生成された抽出条件情報に基づいて視聴用コンテンツから再生シーンを抽出させ、抽出させた再生シーンに基づいて視聴用コンテンツを再構成させることができる。すなわち、関心度の高い再生シーンのみに基づいて視聴用コンテンツを再構成させることが可能となる。
【００１２】
また、本発明のコンテンツ再構成支援システムは、視聴用コンテンツを再生する視聴端末と、当該視聴端末と通信回線を介して接続可能なサーバ装置とを備えるコンテンツ再構成支援システムにおいて、上記サーバ装置は、少なくとも、視聴用コンテンツにおける再生開始時刻からの経過時間および当該経過時間の終了時における視聴用コンテンツへの関心の度合いを示す関心度を含む関心度情報を、視聴端末から受信する関心度情報受信手段と、関心度情報受信手段により受信された関心度情報、および所定の閾値に基づいて、視聴用コンテンツを再構成する際に用いる特定の再生シーンを、視聴用コンテンツから抽出するための抽出条件を含む抽出条件情報を生成する抽出条件情報生成手段と、抽出条件情報生成手段により生成された抽出条件情報を、視聴端末に送信する抽出条件情報送信手段とを備え、上記視聴端末は、所定の入力手段により入力された信号に基づいて、経過時間および関心度を含む関心度情報を生成する関心度情報生成手段と、関心度情報生成手段により生成された関心度情報を、サーバ装置に送信する関心度情報送信手段と、抽出条件情報を、サーバ装置から受信する抽出条件情報受信手段と、抽出条件情報受信手段により受信された抽出条件情報に基づいて、予め記憶された視聴用コンテンツから再生シーンを抽出する抽出手段と、抽出手段により抽出された再生シーンに基づいて、視聴用コンテンツを再構成する再構成手段と、再構成手段により再構成された視聴用コンテンツを再生して表示させる再生表示手段とを備えることを特徴とする。
【００１３】
この発明によれば、視聴用コンテンツを受信可能な視聴端末から送信された関心度情報を受信することができるため、多数のユーザにより入力された関心度情報を収集することが可能となる。また、この関心度情報と所定の閾値とに基づいて、視聴用コンテンツを再構成する際に用いる特定の再生シーンを視聴用コンテンツから抽出するための抽出条件情報を生成することができるため、より偏りの少ない関心度情報（評価情報）に基づいて生成された抽出条件情報を用いて視聴用コンテンツを再構成させることが可能となる。さらに、抽出条件情報に基づいて視聴用コンテンツから再生シーンを抽出させ、この抽出させた再生シーンに基づいて視聴用コンテンツを再構成させたうえで表示させることができるため、ユーザは、関心度の高い再生シーンのみを視聴することが可能となる。
【発明の効果】
【００１４】
本発明に係るコンテンツ再構成支援装置およびコンテンツ再構成支援システムによれば、より偏りの少ない評価情報（関心度情報）に基づいて、視聴用コンテンツを再構成させることができる。
【発明を実施するための最良の形態】
【００１５】
以下、本発明に係るコンテンツ再構成支援システムの実施形態を図面に基づき説明する。なお、各図において、同一要素には同一符号を付して重複する説明を省略する。
【００１６】
図１は、本発明の実施形態におけるコンテンツ再構成支援システム１の構成を例示する図である。図１に示すように、コンテンツ再構成支援システム１は、サーバシステム１０（コンテンツ再構成支援装置、サーバ装置）と、視聴端末２０と、放送局３０と、移動体通信網，インターネット，放送網等を含むネットワーク網４０とを有する。
【００１７】
視聴端末２０は、放送局３０から送信される番組（視聴用コンテンツ）を受信してユーザに視聴させるテレビジョン機能を搭載した端末である。このような視聴端末２０としては、例えば、テレビジョン機能を有する携帯電話機や簡易型携帯電話機（ＰＨＳ）等の移動通信端末、テレビジョン機能を有するパーソナルコンピュータ等の固定通信端末、通信機能を有するテレビ等が該当するが、本実施形態においては、視聴端末２０としてテレビジョン機能を有する携帯電話機を採用した場合について説明することとする。
【００１８】
視聴端末２０とサーバシステム１０は、移動体通信網およびインターネットを介して相互に通信可能である。また、視聴端末２０およびサーバシステム１０は、放送局から送信された番組を、放送網を介して受信可能であるとともに、移動体通信網およびインターネットを介して放送局と相互に通信可能である。
【００１９】
次に、図２を参照してコンテンツ再構成支援システム１を構成しているサーバシステム１０の機能構成を説明する。図２に示すように、サーバシステム１０は、関心度情報受信部１１と、関心度情報登録部１２と、再生指定時間受信部１３と、抽出条件情報生成部１４と、抽出条件情報送信部１５とを有する。また、サーバシステム１０は、関心度情報データベース１６、番組情報データベース１７、ユーザ情報データベース１８およびセグメント情報データベース１９の各種データベースを有する。
【００２０】
関心度情報受信部１１は、視聴端末２０から送信される関心度情報を受信する。ここで、図３を参照して関心度情報について説明する。関心度情報は、サーバシステム１０の関心度情報データベース１６に格納される情報であり、データ項目として、例えば、ユーザＩＤ、番組ＩＤ、発生時間および関心度を有する。ユーザＩＤは、視聴端末２０を所持するユーザを特定するための識別情報であり、例えば、“０００１”，“０００２”等が該当する。番組ＩＤは、視聴端末２０で受信され視聴された番組を特定するための識別情報であり、例えば、“ＡＢＣ０１００”等が該当する。なお、この番組ＩＤに対応する番組情報については、後述する。発生時間は、番組の開始時刻からの経過時間（秒）を表すものであり、視聴端末２０において関心度が入力された時点における経過時間を表す。発生時間としては、例えば、“２００”，“４００”，“７６０”等が該当する。例えば、発生時間が、“２００”秒である場合には、番組ＩＤに対応する番組が開始されてから“２００”秒後に関心度が入力されたことを示すこととなる。関心度は、発生時間におけるユーザの番組への関心の度合いを示す数値であり、例えば、“８”，“６”等が該当する。なお、本実施形態では、関心度を１０段階の数値により表して説明することとする。
【００２１】
また、図４を参照して番組情報について説明する。番組情報は、サーバシステム１０の番組情報データベース１７に格納される情報であり、データ項目として、例えば、番組ＩＤ、番組タイトル、チャンネルおよび開始時刻を有する。番組ＩＤは、視聴端末２０で受信され視聴された番組を特定するための識別情報であり、例えば、“ＡＢＣ０１００”，“ＡＢＣ０２００”等が該当する。番組タイトル、チャンネル、開始時刻は、番組に関する情報であり、例えば、番組タイトルとしては“朝のニュース”，“芸能ワイド”等が該当し、チャンネルとしては“１”，“４”等が該当し、開始時刻（年月日および時分秒）としては、“２００３／１１／３０／ ０７：００：００”が該当する。
【００２２】
関心度情報登録部１２は、関心度情報受信部１１により受信された関心度情報を関心度情報データベース１６に登録する。このように、不特定多数の視聴端末２０から送信された関心度情報を蓄積することによって、より偏りの少ない関心度情報に基づいて、番組を再構成させることが可能になる。
【００２３】
再生指定時間受信部１３は、視聴端末２０側で視聴用コンテンツの再生時間として指定された再生指定時間を受信する。この再生指定時間を視聴端末２０から受信することにより、再生指定時間に収まる新番組を当該視聴端末２０に提供させることが可能になる。
【００２４】
抽出条件情報生成部１４は、関心度情報データベース１６に登録されている関心度情報、および予め定められた関心度の所定の閾値等に基づいて、番組を再構成する際に用いる特定のシーンを当該番組から抽出するための抽出条件情報を生成する。この抽出条件情報を生成することにより、関心度が所定の閾値以上である特定のシーンを抽出することができるようになる。
【００２５】
ここで、図５を参照して抽出条件情報について説明する。抽出条件情報は、データ項目として、例えば、番組ＩＤ、新番組ＩＤ、開始時間および終了時間を有する。番組ＩＤは、視聴端末２０で受信され視聴された番組を特定するための識別情報であり、例えば、“ＡＢＣ０１００”等が該当する。新番組ＩＤは、抽出条件情報により抽出される一または複数のシーンに基づいて再構成される新番組を特定するための識別情報であり、例えば、“ＡＢＣ０１０１”等が該当する。開始時間および終了時間は、抽出の対象となる一シーンの開始時間および終了時間であり、それぞれ番組の開始時刻からの経過時間により表される。例えば、開始時間が“１９０”であり、終了時間が“２１０”である場合には、番組ＩＤに対応する番組が開始されてから“１９０”秒経過した後から“２１０”秒経過するまでのシーンが抽出の対象となる。なお、この開始時間と終了時間の組は、抽出の対象となるシーンごとに構成され、１〜ｎ（ｎは正の整数）組構成され得る。
【００２６】
本実施形態における抽出条件情報生成部１４は、視聴端末２０において指定された抽出モードに基づいて、抽出条件情報を生成する。抽出モードとは、どのような抽出条件を生成するのかを視聴端末２０側で指定するモードである。このような抽出モードとしては、例えば、通常モード、再生指定時間モード、セグメントモードがある。以下において、これらの抽出モードごとに抽出条件情報生成部１４が有する機能について説明する。
【００２７】
まず、抽出モードが“通常モード”である場合について説明する。この場合に、抽出条件情報生成部１４は、視聴端末２０から受信した番組ＩＤに対応する関心度情報を関心度情報データベース１６から抽出する。また、抽出条件情報生成部１４は、所定の閾値よりも大きな関心度を有する関心度情報を、先に抽出した関心度情報から取得する。さらに、抽出条件情報生成部１４は、先に取得した関心度情報に含まれる発生時間に基づいて抽出条件情報の開始時間および終了時間を算出し、抽出条件情報を生成する。これにより、抽出条件情報生成部１４は、関心度情報に含まれる関心度が所定の閾値を超えた時間に対応するシーンを、特定の番組から抽出するための抽出条件情報を生成することができる。
【００２８】
ここで、抽出条件情報の開始時間および終了時間は、発生時間を所定の時間だけ前後にずらして算出する。具体的に説明すると、例えば、発生時間が“２００”秒であり、所定の時間が“１０”秒である場合には、抽出条件情報の開始時間は“１９０”秒となり、抽出条件情報の終了時間は“２１０”秒となる。すなわち、この抽出条件情報により抽出されるシーンは、番組の再生が開始されてから“１９０”秒経過した後から“２１０”秒経過するまでの間に再生されるシーンとなる。
【００２９】
次に、抽出モードが“再生指定時間モード”である場合について説明する。この場合に、抽出条件情報生成部１４は、視聴端末２０から受信した番組ＩＤに対応する関心度情報を関心度情報データベース１６から抽出する。また、抽出条件情報生成部１４は、予め定められた関心度の最大閾値（例えば、“１０”）よりも大きな関心度を有する関心度情報を、先に抽出した関心度情報から取得する。また、抽出条件情報生成部１４は、先に取得した関心度情報に基づいて、再構成される新番組の再生時間が再生指定時間を超えるか否かを判定し、超えると判定できるまで閾値の値を順次小さく変更していく。さらに、抽出条件情報生成部１４は、新番組の再生時間が再生指定時間を超えた場合に、超えたと判定した直前の判定において用いた関心度情報に含まれる発生時間に基づいて、抽出条件情報の開始時間および終了時間を算出し、抽出条件情報を生成する。すなわち、抽出条件情報生成部１４は、再生シーンの合計再生時間が、再生指定時間受信部１３により受信された再生指定時間に収まるように所定の閾値を変動させる。
【００３０】
次に、抽出モードが“セグメントモード”である場合について説明する。この場合に、抽出条件情報生成部１４は、
関心度情報データベース１６に格納されている関心度情報、ユーザ情報データベース１８に格納されているユーザ情報、およびセグメント情報データベース１９に格納されているセグメント情報に基づいて、抽出条件情報を生成する。
【００３１】
ここで、図６を参照してユーザ情報について説明する。ユーザ情報は、サーバシステム１０のユーザ情報データベース１８に格納される情報であり、データ項目として、例えば、ユーザＩＤ、氏名、住所、性別、職業、年令、嗜好情報および視聴履歴を有する。ユーザＩＤは、視聴端末２０を所持するユーザを特定するための識別情報であり、例えば、“０００１”，“０００２”等が該当する。氏名、住所、性別、職業、年令は、視聴端末２０を所持するユーザに関する個人情報であり、例えば、氏名としては“あい  うえお”等が該当し、住所としては“東京都・・・”等が該当し、性別としては“男”等が該当し、職業としては“食品会社”等が該当し、年令としては“２８”等が該当する。嗜好情報は、視聴端末２０を所持するユーザが興味を有する番組のジャンルやシーン等に関する情報であり、例えば、“政治”，“スポーツ”,“ドラマ”，“ファッション”等が該当する。視聴履歴は、視聴端末２０を所持するユーザが過去に視聴した番組の履歴に関する情報であり、例えば、過去に視聴した番組の番組ＩＤや視聴日時等を示す情報が含まれる。
【００３２】
また、図７を参照してセグメント情報について説明する。セグメント情報は、セグメント情報データベース１９に格納される情報であり、データ項目としては、例えば、番組ＩＤ、セグメントＩＤ、ジャンル、シーンタイトル、開始時間および終了時間がある。番組ＩＤは、視聴端末２０で受信され視聴された番組を特定するための識別情報であり、例えば、“ＡＢＣ０１００”などが該当する。セグメントＩＤは、複数のセグメントに分割された番組の各セグメントを識別するための情報であり、シーンタイトルごとに付与されるＩＤである。このセグメントＩＤとしては、例えば、“１”，“２”，“３”等が該当する。ジャンルは、番組のジャンルを示す情報であり、例えば、“ニュース”、“天気予報”、“スポーツ”等が該当する。シーンタイトルは、セグメント単位に分割された各シーンのタイトルを示す情報であり、例えば、番組が“朝のニュース”のニュースコーナーである場合には、“政治”や“経済”などの分野を示すタイトルが設定され、“朝のニュース”の天気予報コーナーである場合には、“東京”や“埼玉”などの都道府県を示すタイトルが設定され、“朝のニュース”のスポーツコーナーである場合には、“巨人”や“阪神”などの球団を示すタイトルが設定される。開始時間は、各セグメントに対応するシーンが番組の開始時刻から何秒経過した後に開始されたのかを示す情報であり、例えば、“０”，“１０１”，“２４１”等が該当する。終了時間は、各セグメントに対応するシーンが番組の開始時刻から何秒経過した後に終了したのかを示す情報であり、例えば、“１００”，“２４０”，“３６０”等が該当する。例えば、セグメントＩＤが“２”であるシーンの開始時間が“１０１”秒であり、終了時間が“２４０”秒である場合には、セグメントＩＤが“２”であるシーンは、番組が開始されてから“１０１”秒経過した後から“２４０”秒経過するまでの間に再生されるシーンとなる。このようなセグメント情報を管理することにより、所定の閾値を超えた関心度に対応する発生時間が、例えば、“２００”秒であった場合には、図７に示される開始時間が“１０１”秒であり、終了時間が“２４０”秒であるセグメントＩＤが“２”である“ニュース”の“経済”シーンを抽出するための抽出条件情報を生成することが可能となる。
【００３３】
抽出モードが“セグメントモード”である場合における抽出条件情報生成部１４は、視聴端末２０から受信した番組ＩＤに対応する関心度情報を、関心度情報データベース１６から抽出する。また、抽出条件情報生成部１４は、視聴端末２０から受信したユーザＩＤに対応するユーザ情報を、ユーザ情報データベース１８から抽出する。また、抽出条件情報生成部１４は、予め定められた関心度の閾値に基づいて、当該閾値よりも大きな関心度を有する関心度情報を、関心度情報データベース１６から抽出された関心度情報から取得し、この取得した関心度情報に含まれる番組ＩＤおよび発生時間に対応するセグメント情報を、セグメント情報データベース１９から抽出する。さらに、抽出条件情報生成部１４は、ユーザ情報データベース１８から抽出されたユーザ情報に含まれる嗜好情報に対応するセグメント情報を、セグメント情報データベース１９から抽出されたセグメント情報から取得し、この取得したセグメント情報に含まれる番組ＩＤ、開始時間および終了時間に基づいて抽出条件情報を生成する。
【００３４】
これにより、抽出条件情報生成部１４は、関心度情報受信部１１により受信された関心度情報に含まれる関心度が所定の閾値を超えた時間に対応するセグメント情報に基づいて、番組を再構成する際に用いる特定のシーンを、当該番組から抽出するための抽出条件情報を生成することができる。
【００３５】
抽出条件情報送信部１５は、抽出条件情報生成部１４により生成された抽出条件情報を、視聴端末２０に送信する。
【００３６】
次に、図８を参照してコンテンツ再構成支援システム１を構成している視聴端末２０の機能構成を説明する。図８に示すように、視聴端末２０は、入力部２１と、関心度情報生成部２２と、関心度情報送信部２３と、番組受信部２４と、判断部２５と、番組格納部２６と、抽出条件情報受信部２７と、抽出部２８と、再構成部２９と、再生表示部２Ａとを有する。また、視聴端末２０は、番組データベース２Ｂを有する。
【００３７】
入力部２１は、ユーザにより行われる各種操作指示を検知して、当該検知した操作指示に対応する信号を生成する。
入力部２１は、例えば、視聴端末２０における入力モードが関心度を入力するモードに設定されている場合に、所定のキーが押下されたことを検知することで関心度に対応する信号を生成する。本実施形態では、視聴端末２０の画面上に番組が表示され、入力モードが関心度を入力するモードに設定されている場合に、“＊”印のキーが押下されたときに、その押下された回数を関心度の値として、当該関心度に対応する信号が生成される。
【００３８】
関心度情報生成部２２は、入力部２１により生成された関心度に対応する信号と、当該関心度の入力が開始された時点に画面上に表示されている番組の番組ＩＤと、当該関心度の入力が開始されたときの番組開始からの経過時間とに基づいて、関心度情報を生成する。なお、この関心度情報生成部２２により生成される関心度情報は、上述したサーバシステム１０の関心度情報受信部１１の機能説明において説明した関心度情報と同様であるため、説明を省略する。
【００３９】
関心度情報送信部２３は、関心度情報生成部２２により生成された関心度情報を送信する。番組受信部２４は、放送局３０により放送されている番組を受信する。判断部２５は、番組受信部２４により受信された番組を、再生するのか格納するのかを判断する。この番組を再生するのか格納するのかの判断は、例えば、ユーザにより任意に設定可能な番組受信モードに基づいて行うことができる。このような番組受信モードとしては、例えば、受信した番組を再生する番組再生モードや、受信した番組を格納する番組格納モード等を設けることとすればよい。
【００４０】
番組格納部２６は、番組受信部２４により受信された番組を番組データベース２Ｂに格納する。ここで、番組データベース２Ｂが有するデータ項目としては、例えば、番組ＩＤおよび番組（視聴用コンテンツ）が該当する。
【００４１】
抽出条件情報受信部２７は、サーバシステム１０から送信された抽出条件情報を受信する。抽出部２８は、抽出条件情報受信部２７により受信された抽出条件情報に基づいて、番組データベース２Ｂに格納されている番組から、抽出条件情報に対応するシーンを抽出する。再構成部２９は、抽出部２８により抽出された一または複数のシーンに基づいて、番組を再構成する。
【００４２】
再生表示部２Ａは、番組を再生し、この再生した番組を画面上に表示させる。再生の対象となる番組としては、再構成部２９により再構成された新番組、番組データベース２Ｂに格納されている番組、番組受信部２４により受信された放送局３０から送信されている番組がある。
【００４３】
次に、図９および図１０を参照して本実施形態におけるコンテンツ再構成支援システム１の動作を説明する。図９は、関心度情報をサーバシステム１０に登録する際の処理を説明するためのシーケンスチャートであり、図１０は、番組を再構成する際の処理を説明するためのシーケンスチャートである。
【００４４】
まず、図９を参照して、関心度情報の登録処理について説明する。視聴端末２０の番組受信部２４は、放送局３０によって放送されている番組を受信する（ステップＳ１）。視聴端末２０の判断部２５は、番組受信部２４により受信された番組を再生するのか否かを判断する（ステップＳ２）。この判断において、番組を再生すると判断された場合に（ステップＳ２；ＹＥＳ）、視聴端末２０の再生表示部２Ａは、番組受信部２４により受信された番組を再生して画面上に表示させる（ステップＳ３）。なお、ステップＳ２の判断において、番組を再生しないと判断された場合に（ステップＳ２；ＮＯ）、視聴端末２０の番組格納部２６は、番組受信部２４により受信された番組を番組データベース２Ｂに格納する。
【００４５】
視聴端末２０の入力部２１は、ユーザにより関心度が入力されたことを検知した場合（ステップＳ４）に、当該関心度に対応する信号を生成する。
【００４６】
視聴端末２０の関心度情報生成部２２は、入力部２１により生成された関心度に対応する信号と、当該関心度の入力が開始された時点に画面上に表示されている番組に対応する番組ＩＤと、当該関心度の入力が開始されたときの番組開始からの経過時間とに基づいて、関心度情報を生成する（ステップＳ５）。
【００４７】
視聴端末２０の関心度情報送信部２３は、関心度情報生成部２２により生成された関心度情報を、サーバシステム１０に送信する（ステップＳ６）。これにより、サーバシステム１０の関心度情報受信部１１は、視聴端末２０により送信された関心度情報を受信する。
【００４８】
サーバシステム１０の関心度情報登録部１２は、関心度情報受信部１１により受信された関心度情報を関心度情報データベース１６に登録する（ステップＳ７）。これにより、サーバシステム１０は、放送局３０により放送された番組を受信した視聴端末２０から関心度情報を取得することができる。すなわち、不特定の視聴端末２０を操作する多数のユーザによって入力された番組への関心度情報を取得することができる。
【００４９】
次に、図１０を参照して、番組の再構成処理について説明する。サーバシステム１０は、特定の番組を再構成する際に必要となる抽出条件情報を要求するための抽出条件情報要求メッセージを視聴端末２０から受信する（ステップＳ１１）。ここで、抽出条件情報要求メッセージには、例えば、番組ＩＤ、ユーザＩＤおよび抽出モードが含まれる。
【００５０】
次に、サーバシステム１０の抽出条件情報生成部１４は、視聴端末２０から受信した番組ＩＤに対応する関心度情報と所定の閾値とに基づいて、抽出モードごとに抽出条件情報生成処理を行う（ステップＳ１２）。この抽出条件情報生成処理については、後述する。
【００５１】
サーバシステム１０の抽出条件情報送信部１５は、抽出条件情報生成部１４により生成された抽出条件情報を、視聴端末２０に送信する（ステップＳ１３）。これにより、視聴端末２０の抽出条件情報受信部２７は、サーバシステム１０により送信された抽出条件情報を受信する。
【００５２】
視聴端末２０の抽出部２８は、抽出条件情報受信部２７により受信された抽出条件情報に基づいて、番組データベース２Ｂに格納されている番組から、抽出条件情報に対応するシーンを抽出する（ステップＳ１４）。
【００５３】
視聴端末２０の再構成部２９は、抽出部２８により抽出されたシーンに基づいて、番組を再構成する（ステップＳ１５）。
【００５４】
視聴端末２０の再生表示部２Ａは、再構成部２９により再構成された新番組を再生して画面上に表示させる（ステップＳ１６）。
【００５５】
次に、上述した抽出条件情報生成処理について、図１１から図１３を参照して説明する。図１１は、抽出モードが“通常モード”である場合における抽出条件情報生成処理を説明するためのフローチャートであり、図１２は、抽出モードが“再生指定時間モード”である場合における抽出条件情報生成処理を説明するためのフローチャートであり、図１３は、抽出モードが“セグメントモード”である場合における抽出条件情報生成処理を説明するためのフローチャートである。
【００５６】
まず、図１１を参照して、視聴端末２０において設定されている抽出モードが“通常モード”である場合における抽出条件情報生成処理について説明する。サーバシステム１０の抽出条件情報生成部１４は、視聴端末２０から受信した番組ＩＤに基づいて関心度情報データベース１６から、当該番組ＩＤに対応する関心度情報を抽出する（ステップＳ２１）。
【００５７】
次に、抽出条件情報生成部１４は、予め定められた関心度の閾値に基づいて、ステップＳ２１において抽出された関心度情報から、当該閾値よりも大きな関心度を有する関心度情報を取得する（ステップＳ２２）。具体的に説明すると、例えば、関心度の閾値が“８”である場合には、この閾値よりも大きな関心度である“９”または“１０”の関心度を有する関心度情報を取得する。
【００５８】
次に、抽出条件情報生成部１４は、ステップＳ２２において取得された関心度情報に含まれる発生時間に基づいて抽出条件情報の開始時間および終了時間を算出し、抽出条件情報を生成する（ステップＳ２３）。
【００５９】
次に、図１２を参照して、視聴端末２０において設定されている抽出モードが“再生指定時間モード”である場合における抽出条件情報生成処理について説明する。サーバシステム１０の再生指定時間受信部１３は、視聴端末２０により送信された再生指定時間を受信する（ステップＳ３１）。
【００６０】
次に、サーバシステム１０の抽出条件情報生成部１４は、視聴端末２０から受信した番組ＩＤに基づいて、関心度情報データベース１６から当該番組ＩＤに対応する関心度情報を抽出する（ステップＳ３２）。
【００６１】
次に、抽出条件情報生成部１４は、予め定められた関心度の最大閾値（例えば、“１０”）に基づいて、ステップＳ３２において抽出された関心度情報から、当該最大閾値よりも大きな関心度を有する関心度情報を取得する（ステップＳ３３）。
【００６２】
次に、抽出条件情報生成部１４は、ステップＳ３３において取得された関心度情報に基づいて再構成される新番組の再生時間が、再生指定時間を超えるか否かを判断する（ステップＳ３４）。この判断において、新番組の再生時間が再生指定時間以下であると判断された場合に（ステップＳ３４；ＮＯ）、抽出条件情報生成部１４は、ステップＳ３３において取得された関心度情報をメモリ上に待避して一時的に記憶させる（ステップＳ３５）。なお、他の関心度情報が既にメモリ上に記憶されている場合には、当該他の関心度情報をクリアしてからステップＳ３３において取得された関心度情報を記憶させることとする。
【００６３】
次に、抽出条件情報生成部１４は、閾値の値を一段階小さく変更して（ステップＳ３６）、上述したステップＳ３３に処理を移行する。すなわち、抽出条件情報生成部１４は、変更後の閾値に基づいて、関心度情報を新たに取得する。
【００６４】
一方、ステップＳ３４の判断において、新番組の再生時間が再生指定時間を超えていると判断された場合に（ステップＳ３４；ＹＥＳ）、抽出条件情報生成部１４は、ステップＳ３５において記憶された関心度情報に含まれる発生時間に基づいて、抽出条件情報の開始時間および終了時間を算出し、抽出条件情報を生成する（ステップＳ３７）。これにより、再生指定時間に収まり、かつ最大の再生時間を構成する新番組の各シーンを抽出するための抽出条件情報を生成することができる。
【００６５】
次に、図１３を参照して、視聴端末２０において設定されている抽出モードが“セグメントモード”である場合における抽出条件情報生成処理について説明する。サーバシステム１０の抽出条件情報生成部１４は、視聴端末２０から受信した番組ＩＤに基づいて、関心度情報データベース１６から、当該番組ＩＤに対応する関心度情報を抽出する（ステップＳ４１）。また、抽出条件情報生成部１４は、視聴端末２０から受信したユーザＩＤに基づいてユーザ情報データベース１８から、当該ユーザＩＤに対応するユーザ情報を抽出する（ステップＳ４２）。
【００６６】
次に、抽出条件情報生成部１４は、予め定められた関心度の所定の閾値に基づいて、ステップＳ４１において抽出された関心度情報から、当該閾値よりも大きな関心度を有する関心度情報を取得する（ステップＳ４３）。
【００６７】
次に、抽出条件情報生成部１４は、ステップＳ４３において取得された関心度情報に含まれる番組ＩＤおよび発生時間に基づいて、セグメント情報データベース１９から、当該番組ＩＤおよび発生時間に対応するセグメント情報を抽出する（ステップＳ４４）。図３および図７を参照して具体的に説明すると、例えば、図３に示す関心度情報の番組ＩＤが“ＡＢＣ０１００”であり、発生時間が“２００”秒である場合には、図７に示す番組ＩＤが“ＡＢＣ０１００”かつ開始時間が“１０１”秒で終了時間が“２４０”秒であるセグメント情報が抽出される。すなわち、図３に示す関心度情報の発生時間である“２００”秒を、図７に示す開始時間と終了時間との間に含むセグメントＩＤが“２”であるセグメント情報が抽出されることとなる。
【００６８】
次に、抽出条件情報生成部１４は、ステップＳ４２において抽出されたユーザ情報に含まれる嗜好情報に基づいて、ステップＳ４４において抽出されたセグメント情報から、当該嗜好情報に対応するセグメント情報を取得する（ステップＳ４５）。図６および図７を参照して具体的に説明すると、例えば、図６に示すユーザ情報の嗜好情報が“政治”および“スポーツ”であり、図７に示す上記抽出されたセグメント情報のセグメントＩＤが“２”および“６”である場合には、セグメント情報のジャンルまたはシーンタイトルに“政治”または“スポーツ”が格納されているセグメント情報が取得の対象となる。すなわち、この場合には、セグメント情報のジャンルに“スポーツ”が格納されたセグメントＩＤが“６”であるセグメント情報が取得される。これにより、関心度が高く、かつユーザの嗜好情報に見合ったシーンを抽出するための抽出条件を生成させることができる。
【００６９】
次に、抽出条件情報生成部１４は、ステップＳ４５において取得されたセグメント情報に含まれる番組ＩＤ、開始時間および終了時間に基づいて抽出条件情報を生成する（ステップＳ４６）。
【００７０】
以上において説明したように、本実施形態におけるコンテンツ再構成支援システム１によれば、サーバシステム１０は、放送局３０から送信される番組を受信可能な不特定多数の視聴端末２０によって送信された関心度情報を受信することができるため、多数のユーザにより入力された関心度情報を収集することが可能となる。
【００７１】
また、サーバシステム１０では、関心度情報と所定の閾値とに基づいて、番組を再構成する際に用いる特定の再生シーンを番組から抽出するための抽出条件情報を生成することができるため、より偏りの少ない関心度情報（評価情報）に基づいて生成された抽出条件情報を用いて視聴用コンテンツを再構成させることが可能となる。
【００７２】
さらに、視聴端末２０では、サーバシステム１０で生成された抽出条件情報に基づいて視聴用コンテンツから関心度の高い再生シーンを抽出させ、この抽出させた再生シーンに基づいて視聴用コンテンツを再構成させるため、関心度の高い再生シーンのみに基づいて視聴用コンテンツを再構成させることが可能となる。すなわち、視聴端末２０を所持するユーザは、関心度の高い再生シーンのみを視聴することが可能となる。
【００７３】
また、抽出条件情報生成部１４によって、関心度情報に含まれる関心度が所定の閾値を超える時間に対応する再生シーンを抽出するための抽出条件情報が生成されるため、関心度が所定の閾値を超えた時間に対応する再生シーンのみを抽出させることができる。
【００７４】
また、抽出条件情報生成部１４によって、再生シーンの合計再生時間が再生指定時間に収まるように所定の閾値が変動させられるため、合計再生時間がユーザにより指定された再生指定時間内に収まり、かつ関心度が所定の閾値を超えた時間に対応する再生シーンのみを抽出させることができる。
【００７５】
また、抽出条件情報生成部１４によって、関心度情報に含まれる関心度が所定の閾値を超える時間に対応するセグメント情報に基づいて、再生シーンを抽出するための抽出条件情報が生成されるため、関心度が所定の閾値を超えた時間に対応するセグメントに属する再生シーンのみを抽出させることができる。
【００７６】
また、抽出条件情報生成部１４によって、関心度情報に含まれる関心度が所定の閾値を超える時間に対応するセグメント情報であって、かつ、ユーザの嗜好情報に対応するジャンルおよびタイトルを有するセグメント情報に基づいて、再生シーンを抽出するための抽出条件情報が生成されるため、関心度が所定の閾値を超えた時間に対応するセグメントに属する再生シーンであって、かつ、ユーザの嗜好情報に見合った再生シーンを抽出させることができる。
【００７７】
なお、上述した図１２のステップＳ３３において、抽出条件情報生成部１４は、予め定められた関心度の最大閾値に基づいて関心度情報を取得しているが、閾値の初期設定は最大閾値に限定されない。例えば、閾値の初期設定を最小閾値（例えば“０”）に設定してもよい。この場合に、抽出条件情報生成部１４は、新番組の再生時間が再生指定時間を超えると判断した場合には、閾値の値を一段階大きく変更させてから再度関心度情報を取得させる処理を繰り返せばよく、新番組の再生時間が再生指定時間以下であると判断した場合には、当該判断時に取得した関心度情報に含まれる発生時間に基づいて抽出条件情報を生成すればよい。これにより、再生指定時間に収まり、かつ最大の再生時間を構成する新番組の各シーンを抽出するための抽出条件情報を生成することができる。また、例えば、閾値の初期設定は任意の閾値であってもよい。この場合に、抽出条件情報生成部１４は、新番組の再生時間が再生指定時間よりも短いときには、閾値の値を一段階小さく変更し、新番組の再生時間が再生指定時間を超えるときには、閾値の値を一段階大きく変更することにより、上述したような再生指定時間に収まり、かつ最大の再生時間を構成する新番組の各シーンを抽出するための抽出条件情報を生成すればよい。なお、再構成される新番組の合計再生時間は、再生指定時間に収まればよく、必ずしも再生指定時間内に収まる最大の再生時間である必要はない。しかしながら、再生指定時間内に収まる最大の再生時間により構成される新番組を提供することによって、ユーザの満足度を増大させることができる。
【００７８】
また、上述した実施形態におけるサーバシステム１０の再生指定時間受信部１３は、抽出モードが再生時間指定モードに設定されているときに行われる抽出条件情報生成処理に必要な機能であるため、再生時間指定モードを採用しない場合には、必ずしもサーバシステム１０に備える必要はない。
【００７９】
また、上述した実施形態において、抽出部２８および再構成部２９の各機能は、視聴端末２０の機能として説明しているが、必ずしも視聴端末２０の機能である必要はない。例えば、抽出部２８および再構成部２９の各機能をサーバシステム１０に備えることとしてもよい。この場合に、サーバシステム１０の抽出部は、サーバシステム１０の抽出条件情報受信部により受信された抽出条件情報に基づいて、当該抽出条件情報に対応するシーンを番組データベースから抽出し、サーバシステム１０の再構成部は、抽出部により抽出されたシーンに基づいて、番組を再構成すればよい。また、サーバシステム１０は、新番組送信部を備え、この新番組送信部が再構成された新番組を視聴端末２０に送信することとすればよい。また、視聴端末２０は、新番組受信部を備え、この新番組受信部により受信された新番組を再生表示部２Ａにより再生して表示させればよい。
【００８０】
また、上述した実施形態においては、再構成の対象として放送局３０から送信された番組を採用しているが、再構成の対象はこれに限られない。例えば、インターネット上のＷｅｂサーバから送信された動画像を再構成の対象としてもよい。すなわち、再構成の対象は、番組や動画像などの視聴用コンテンツであればよい。
【００８１】
また、上述した実施形態における関心度情報の登録処理においては、関心度の登録対象となる番組が放送局３０により送信されている番組であるが、関心度の登録対象となる番組は必ずしも放送局３０により送信されている番組に限定されない。例えば、視聴端末２０の番組データベース２Ｂに既に登録されている番組を再生させることにより、当該番組を関心度の登録対象としてもよい。
【００８２】
また、上述した実施形態では、視聴端末２０において“＊”印のキーが押下された回数を関心度の値としているが、必ずしもキーを押下した回数を関心度の値とする必要はない。例えば、“＊”印のキーを押下した後に、関心度の値を示す数値を直接入力することとしてもよい。これにより、関心度の入力時間を短縮することができ、より細かいシーンの設定が可能になる。
【図面の簡単な説明】
【００８３】
【図１】発明の実施形態におけるコンテンツ再構成支援システムのシステム構成を示す図である。
【図２】図１に示すサーバシステムの機能構成を示すブロック図である。
【図３】関心度情報データベースのデータ構成を示す図である。
【図４】番組情報データベースのデータ構成を示す図である。
【図５】抽出条件情報のデータ構成を示す図である。
【図６】ユーザ情報データベースのデータ構成を示す図である。
【図７】セグメント情報データベースのデータ構成を示す図である。
【図８】図１に示す視聴端末の機能構成を示すブロック図である。
【図９】コンテンツ再構成支援システムの動作を示すシーケンス図である。
【図１０】コンテンツ再構成支援システムの動作を示すシーケンス図である。
【図１１】抽出条件情報生成処理の詳細動作を示すフローチャートである。
【図１２】抽出条件情報生成処理の詳細動作を示すフローチャートである。
【図１３】抽出条件情報生成処理の詳細動作を示すフローチャートである。
【符号の説明】
【００８４】
１・・・コンテンツ再構成支援システム、１０・・・サーバシステム、１１・・・関心度情報受信部、１２・・・関心度情報登録部、１３・・・再生指定時間受信部、１４・・・抽出条件情報生成部、１５・・・抽出条件情報送信部、１６・・・関心度情報データベース、１７・・・番組情報データベース、１８・・・ユーザ情報データベース、１９・・・セグメント情報データベース、２０・・・視聴端末、２１・・・入力部、２２・・・関心度情報生成部、２３・・・関心度情報送信部、２４・・・番組受信部、２５・・・判断部、２６・・・番組格納部、２７・・・抽出条件情報受信部、２８・・・抽出部、２９・・・再構成部、２Ａ・・・再生表示部、２Ｂ・・・番組データベース、３０・・・放送局、４０・・・ネットワーク網。
【図１】
2005323208.tif 000003
【図２】
2005323208.tif 000004
【図３】
2005323208.tif 000005
【図４】
2005323208.tif 000006
【図５】
2005323208.tif 000007
【図６】
2005323208.tif 000008
【図７】
2005323208.tif 000009
【図８】
2005323208.tif 000010
【図９】
2005323208.tif 000011
【図１０】
2005323208.tif 000012
【図１１】
2005323208.tif 000013
【図１２】
2005323208.tif 000014
【図１３】
2005323208.tif 000015